(57)【特許請求の範囲】
【請求項１】
所定の面内に配設される光源を設けた光源部と、
前記光源からの光が一端面から入射され、該一端面から入射された前記光を前記一端面に対向する他端面、一主面及び他主面から出射する板状の導光板を前記光源部の前記所定の面内から起立させて設けた発光部と、
前記光源部及び前記発光部を保持する筐体を設けた筐体部とを有し、
前記発光部は、所定の情報の外郭を縁取りした形状に複数の前記導光板を接合して形成され、
前記筺体部は、前記筺体の隙間にシリコンを充填した防水構造を有していること
を特徴とするチャンネル文字装置。
【請求項２】
前記導光板の前記一主面及び前記他主面のいずれかの面には、前記光源部の前記光源から照射された光を拡散光として導出させる凹部又は凸部が形成されていること
を特徴とする請求項１に記載のチャンネル文字装置。
【請求項３】
前記凹部又は前記凸部は、点状、線状、又はそれらを組み合わせた形状から成ること
を特徴とする請求項２に記載のチャンネル文字装置。
【請求項４】
前記導光板の前記他端面は、鏡面状又は粗面状に形成されていること
を特徴とする請求項１に記載のチャンネル文字装置。
【請求項５】
前記導光板の前記他端面は、前記一端面に対し傾斜して形成されていること
を特徴とする請求項１に記載のチャンネル文字装置。
【請求項６】
前記導光板の前記他端面に積層され、前記他端面から出射された光を拡散させる拡散部材を設けた拡散部を更に有していること
を特徴とする請求項１に記載のチャンネル文字装置。
【請求項７】
前記拡散部の前記拡散部材は、前記発光部の前記導光板の前記他端面の輪郭に沿って積層されていること
を特徴とする請求項６に記載のチャンネル文字装置。
【請求項８】
前記所定の情報は、文字、図形、記号、又はこれらの組み合わせから成ること
を特徴とする請求項１に記載のチャンネル文字装置。
【発明の詳細な説明】
【技術分野】
【０００１】
本発明は、所定の情報を報知するチャンネル文字装置に関する。
【背景技術】
【０００２】
従来、屋内外電飾広告として用いられるチャンネル文字に関して、屋内外電飾用チャンネル文字を構成するハウジングの前面開口部の一部を覆うように、チャンネル文字の輪郭部に所定幅の返しのハウジングが設けられ、かつ、返しのハウジングの裏面にＬＥＤ光源が配置されることにより、ＬＥＤ光源がチャンネル文字正面から不可視状態となるように施され、かつ、ＬＥＤ光源の正面光をチャンネル文字の内部で乱反射させ、その反射光を利用してチャンネル文字の内部の光を均一にする構成がある（例えば、特許文献１参照。）。
【０００３】
また、広告・宣伝用の看板、案内看板、案内灯、表示灯、照明灯等として使用可能なＬＥＤを用いたチャンネル文字に関して、前面及び背面の両面が開口したチャンネル文字用の枠体の内部を、仕切り壁によって前面側収容部と背面側収容部に仕切り、前面側収容部に二以上のＬＥＤを配列して一又は二以上の所望の文字、図形、模様等を表示し、背面側収容部に背面照明用のＬＥＤが一又は二以上設けられている構成がある（例えば、特許文献２参照。）。
【先行技術文献】
【特許文献】
【０００４】
【特許文献１】特開２００９−２２９７５７号公報
【特許文献２】特許第４３７１８７０号公報
【発明の概要】
【発明が解決しようとする課題】
【０００５】
しかしながら、前述の様な構成では、光源の光を有効に用いて高輝度で均等に所定の情報を報知することが困難であるという問題があった。ここで、特許文献１に開示された構成では、装置から出射されるＬＥＤ光源の光が、相当減衰してしまう。また、特許文献２に開示された構成において、蓋を均等に斑なく光らせるためにはＬＥＤの光を十分に拡散させる必要があるので、ＬＥＤから蓋までの距離を設ける必要があり、装置の厚みが大きくなる。
【０００６】
そこで、本発明は前述の技術的な課題に鑑み、光源の光を有効に用いて高輝度で均等に所定の情報を報知することができるチャンネル文字装置の提供を目的とする。
【課題を解決するための手段】
【０００７】
前述の課題を解決すべく、本発明に係るチャンネル文字装置は、所定の面内に配設される光源を設けた光源部と、前記光源からの光が一端面から入射され、該一端面から入射された前記光を前記一端面に対向する他端面、一主面及び他主面から出射する板状の導光板を前記光源部の前記所定の面内から起立させて設けた発光部と、前記光源部及び前記発光部を保持する筐体を設けた筐体部とを有し、前記発光部は、所定の情報の外郭を縁取りした形状に複数の前記導光板を接合して形成され、前記筺体部は、前記筺体の隙間にシリコンを充填した防水構造を有していることを特徴とする。
【発明の効果】
【０００８】
本発明に係るチャンネル文字装置によれば、光源の光を有効に用いて高輝度で均等に所定の情報を報知することができる。
【図面の簡単な説明】
【０００９】
【図１】本発明の第１の実施形態に係る表示装置を示す斜視図である。
【図２】本発明の第１の実施形態に係る表示装置を構成毎に分解して示す斜視図である。
【図３】本発明の第１の実施形態に係る表示装置の要部を水平方向に切断した断面を表す斜視図であり、（ａ）は表示装置の全体を水平方向に切断した断面を表す斜視図、（ｂ）は表示装置の一部を水平方向に切断した断面を表す斜視図である。
【図４】本発明の第１の実施形態に係る表示装置の要部を示す断面図であり、図３（ａ）に対応している。
【図５】本発明の第１の実施形態に係る表示装置を構成する複数配設された微細な光源を現した光源部を示す斜視図である。
【図６】本発明の第１の実施形態に係る表示装置を構成する発光部を示す斜視図である。
【図７】本発明の第１の実施形態に係る表示装置を構成する筐体部を示す斜視図である。
【図８】本発明の第１の実施形態に係る表示装置を構成する発光部を示す斜視図であり、（ａ）は鏡面状に形成された他端面を有する導光板の一部を示す斜視図、（ｂ）は粗面状に形成された他端面を有する導光板の一部を示す斜視図である。
【図９】本発明の第１の実施形態に係る表示装置を構成する発光部において一主面及び他主面に光源部の光源から照射された光を拡散光として導出させる凹部が形成された導光板を設けた発光部を示す斜視図である。
【図１０】本発明の第１の実施形態に係る表示装置を構成する発光部を示す斜視図であり、（ａ）は他端面が一端面に対して平行し形成されている導光板の一部を示す斜視図、（ｂ）は他端面が一端面に対して平行し形成されている導光板の一部を垂直方向に切断した断面を表す斜視図である。
【図１１】本発明の第１の実施形態に係る表示装置を構成する発光部を示す斜視図であり、（ａ）は他端面の一部分が一端面に対して傾斜し形成されている導光板の一部を示す斜視図、（ｂ）は他端面の一部分が一端面に対して傾斜し形成されている導光板の一部を垂直方向に切断した断面を表す斜視図である。
【図１２】本発明の第１の実施形態に係る表示装置を構成する発光部において凹状部が複数形成された導光板の他端面を示す断面図であり、（ａ）は所定の深さの凹状部が複数形成された導光板の他端面を示す断面図、（ｂ）は角錐形状の凹状部が複数形成された導光板の他端面を示す断面図、（ｃ）は角錐台形状の凹状部が複数形成された導光板の他端面を示す断面図、（ｄ）は円錐形状の凹状部が複数形成された導光板の他端面を示す断面図、（ｅ）は円錐台形状の凹状部が複数形成された導光板の他端面を示す断面図である。
【図１３】本発明の第１の実施形態に係る表示装置を構成する発光部において凸状部が複数形成された導光板の他端面を示す断面図であり、（ａ）は所定の高さの凸状部が複数形成された導光板の他端面を示す断面図、（ｂ）は角錐形状の凸状部が複数形成された導光板の他端面を示す断面図、（ｃ）は角錐台形状の凸状部が複数形成された導光板の他端面を示す断面図、（ｄ）は円錐形状の凸状部が複数形成された導光板の他端面を示す断面図、（ｅ）は円錐台形状の凸状部が複数形成された導光板の他端面を示す断面図である。
【図１４】本発明の第１の実施形態に係る表示装置を構成する発光部において他端面の形状を特殊にした導光板を示す斜視図であり、（ａ）は一端面に対向して他端面が設けられ該他端面に傾斜面を形成した導光板を示す斜視図、（ｂ）は一端面に対向して他端面が設けられ該他端面にＶ字状の切り込みを形成した導光板を示す斜視図、（ｃ）は一端面から他端面にかけて湾曲され該他端面に傾斜面を形成した導光板を示す斜視図、（ｄ）は一端面から他端面にかけて湾曲され該他端面にＶ字状の切り込みを形成した導光板を示す斜視図である。
【図１５】本発明の第１の実施形態に係る表示装置を構成する発光部において文字の情報を表す形状から成る他端面を有する導光板を示す斜視図である。
【図１６】本発明の第１の実施形態に係る表示装置を構成する発光部において模様の情報を表す形状から成る他端面を有する導光板を示す斜視図である。
【図１７】本発明の第１の実施形態に係る表示装置を構成する発光部及び光源部の一部をカメラで撮影して得られた写真である。
【図１８】本発明の第２の実施形態に係る拡散部を設けた表示装置を示す斜視図である。
【図１９】本発明の第２の実施形態に係る表示装置を構成毎に分解して示す斜視図である。
【図２０】本発明の第２の実施形態に係る表示装置を構成する発光部及び光源部の一部をカメラで撮影して得られた写真である。
【図２１】本発明の第４の実施形態に係る表示装置を構成する発光部を示す斜視図である。
【図２２】本発明の第１の実施形態に係る応用例の一つの例に相当する筐体部を設けた表示装置を示す断面図である。
【図２３】本発明の第１の実施形態に係る表示装置を屋外固定設備に取り付けた状態を示す側面図である。
【発明を実施するための形態】
【００１０】
以下、本発明の表示装置に係る好適な実施形態について、図面を参照しながら説明する。なお、本発明の表示装置は、以下の記述に限定されるものではなく、本発明の要旨を逸脱しない範囲において、適宜変更可能である。以下の記述において、本発明の表示装置を構成する各構成部材の材質及び形状等は一例であり、他の材質及び形状等に適宜変更可能である。
【００１１】
また、以下の説明においては、最初に本発明の第１の実施形態に係る表示装置１について図１乃至図１７及び図２２を参照しながら説明する。次に本発明の第２の実施形態に係る表示装置２について図１８乃至図２０を参照しながら説明する。次に本発明の第３の実施形態に係る表示装置について説明する。次に本発明の第４の実施形態に係る表示装置について図２１を参照しながら説明する。また本発明の第１乃至第４の実施形態に係る各表示装置に設けられた各発光部の導光板の製造方法について説明する。最後に本発明の第１乃至第４の実施形態に係る各表示装置の構成と主な作用効果について請求項毎に説明する。
【００１２】
［第１の実施形態］
以下、本発明の第１の実施形態に係る表示装置１について、図１乃至図１７及び図２２を参照しながら、具体的に説明する。なお、図１に表示装置１を斜視図で示し、図２に表示装置１を構成毎に分解して斜視図で示し、図３に表示装置１の要部の水平方向の断面を斜視図で示し、図４に表示装置１の要部を断面図で示している。
【００１３】
第１の表示装置１を構成する光源部１０は、図２及び図５に示すように、後述する発光部２０の形状に合わせ複数の光源１１が所定の間隔で実装された基板１２を屈折等させた状態で設けている。以下、光源部１０を構成する各部材について、順に説明する。光源部１０の光源１１は、側面発光型の発光ダイオード（ＬＥＤ：Ｌｉｇｈｔ  Ｅｍｉｔｔｉｎｇ  Ｄｉｏｄｅ）を用いるが、発光面積が大きい表面実装型の発光ダイオードを用いても良い。なお、光源１１の発光面の光軸中心と後述する導光板２１の一端面２１ａの中心が一致するように該光源１１の位置を調整する必要があり、異なる厚みの導光板２１に対応するためには、基板１２の位置又は厚みを調整するだけで済む側面発光型のＬＥＤの方が好ましい。また、光源１１の発光色は、白色、赤色、橙色、黄色、緑色、青色、藍色、又は紫色のいずれかの色若しくはそれらの色の組み合わせを用いることができる。また、光源１１は、紫外域又は赤外域の光を発するＬＥＤで構成しても良い。なお、本実施形態における光源１１は、側面発光型のＬＥＤから成るが、そのようなＬＥＤに限定されることはなく、有機発光ダイオード、蛍光管、冷陰極管、白熱電球、又はネオン管等で構成しても良い。また、光源部１０の基板１２には、屈折可能なフレキシブル基板を用いることもでき、変形し難いリジット基板を用いることもできる。ここで、光源１１を複数実装した基板１２を、後述する筐体部３０に対して、例えばネジ、両面テープ、又は接着剤により固定する。なお、図３に示されるように、後述する発光部２０の導光板２１の一端面２１ａを筐体部３０に取り付けた場合に、該導光板２１の一端面２１ａと基板１２に複数実装した光源１１とが干渉しないように、また、導光板２１の一端面２１ａの中心と光源１１の発光面の中心とが相対するように位置決めされている。
【００１４】
第１の表示装置１を構成する発光部２０は、光源１１からの光が一端面２１ａから入射され該一端面２１ａに対向する他端面２１ｂから出射される板状の導光板２１を光源部１０の所定の面内から起立させて設けている。なお、所定の面内は、基板１２に複数実装された光源１１の発光面に相当する。また、導光板２１の他端面２１ｂは、文字、図形、記号、又はこれらの組み合わせた所定の情報の少なくとも外郭を縁取りした形状から形成されている。なお、一端面２１ａと該一端面２１ａに対向する他端面２１ｂの間には、光を導出可能な一主面２１ｃ及び他主面２１ｅが形成されている。この様な発光部２０は、図２及び図６に示すように、所定の情報を表すようにその形状が加工された導光板２１から構成されている。以下、発光部２０を構成する導光板２１について、図２乃至図１７を参照しながら説明する。導光板２１は、板状から成り厚みが４ｍｍ乃至８ｍｍの透明なアクリル樹脂板から成るが、ガラスやポリカーボネイト等を用いても良い。なお、導光板２１は、透明な樹脂板に限定されることは無く、着色された樹脂板を用いても良い。さらに、導光板２１には、可視域の光を照射されることにより拡散光を発する微粒子状の拡散部材を添加した樹脂板を用いても良い。同様に、導光板２１には、紫外域や可視域の光を照射されることにより蛍光を発する蛍光剤を塗布又は添加した樹脂板を用いても良い。また、導光板２１は、一体成型で形成しても良いし、複数の導光板を接合して一体に形成しても良い。
【００１５】
また、発光部２０は、図８に示すように、発光部２０の導光板２１及び２２の他端面２１ｂ及び２２ｂは、鏡面状又は粗面状に形成されている。具体的には、図８（ａ）に鏡面状に形成された他端面２１ｂを有する導光板２１を示している。同様に、図８（ｂ）に粗面状に形成された他端面２２ｂを有する導光板２２を示している。なお、発光部２０の導光板２２の他端面２２ｂを、切削工具で削る方法、荒いヤスリ等で研磨する方法、又はサンドブラストによる方法等により、粗面状に形成する。また、発光部２０の導光板２２の鏡面状に仕上げられた他端面２２ｂに、拡散機能を有し透過性のあるテープやシールを貼り付けることにより、粗面状に形成しても良い。
【００１６】
また、発光部２０は、図９及び図１７に示すように、発光部２０の導光板２３の主面である一主面２３ｃには、導光板２３の一端面２３ａを介して光源部１０の光源１１から照射された光を拡散光として導出させる凹部２３ｄが形成されている。同様に、発光部２０の導光板２３の一主面２３ｃに対向した主面である他主面２３ｅには、導光板２３の一端面２３ａを介して光源部１０の光源１１から照射された光を拡散光として導出させる凹部２３ｆが形成されている。この様な凹部２３ｄ及び凹部２３ｆは、四角錐形状から成り、一主面２３ｃ及び他主面２３ｅに対して１ｍｍから６ｍｍの間隔でマトリクス状に形成されている。ここで、導光板２３の一主面２３ｃに形成された複数の凹部２３ｄで発生した拡散光の大部分は、略均一な面発光の光として導光板２３の他主面２３ｅから導出される。同様に、導光板２３の他主面２３ｅに形成された複数の凹部２３ｆで発生した拡散光の大部分は、略均一な面発光の光として導光板２３の一主面２３ｃから導出される。ここで、図１７は導光板２３をカメラで撮影して得られた写真であり、図２に示す斜視図と異なり、導光板２３の一端面２３ａに対向した他端面２３ｂから光を入射させている。なお、図１２、図１３、及び図１７に示す構成を、発光部２０の導光板２３の一主面２３ｃ及び他主面２３ｅに、適用しても良い。
【００１７】
また、発光部２０は、図１０及び図１１に示すように、発光部２０の導光板の他端面２１ｂは、一端面２１ａに対して平行又は傾斜して形成されている。具体的には、図１０に他端面２１ｂが一端面２１ａに対して平行し形成されている導光板２１を示している。同様に、図１１に他端面２１ｂの一部が一端面２１ａに対して傾斜し形成されている導光板２４を示している。
【００１８】
また、発光部２０は、図１２及び図１３に示すように、発光部２０の導光板２５には、点状又は線状から成る凹状部、点状又は線状から成る凸状部、又はそれらを組み合わせたものが複数形成されている。具体的には、導光板２５の他端面２５ｂ、一主面２５ｃ、及び他主面２５ｅのいずれかの面に、凹状部、凸状部、又はそれらを組み合わせたものが複数形成されている。ここで、図１２（ａ）に所定の深さの凹状部２５ｇが複数形成された導光板２５の一部を示している。また、図１２（ｂ）に角錐形状の凹状部２５ｈが複数形成された導光板２５の一部を示している。また、図１２（ｃ）に角錐台形状の凹状部２５ｉが複数形成された導光板２５の一部を示している。また、図１２（ｄ）に円錐形状の凹状部２５ｊが複数形成された導光板２５の一部を示している。また、図１２（ｅ）に円錐台形状の凹状部２５ｋが複数形成された導光板２５の一部を示している。同様に、図１３（ａ）に所定の高さの凸状部２５ｍが複数形成された導光板２５の一部を示している。また、図１３（ｂ）に角錐形状の凸状部２５ｎが複数形成された導光板２５の一部を示している。また、図１３（ｃ）に角錐台形状の凸状部２５ｐが複数形成された導光板２５の一部を示している。また、図１３（ｄ）に円錐形状の凸状部２５ｑが複数形成された導光板２５の一部を示している。また、図１３（ｅ）に円錐台形状の凸状部２５ｒが複数形成された導光板２５の一部を示している。
【００１９】
また、発光部２０は、図１４に示すように、導光板の他端面を特殊な形状に形成しても良い。具体的には、図１４（ａ）に、一端面５１ａに対向して他端面５１ｂが設けられ該他端面５１ｂに傾斜面を形成した導光板５１を示している。また、図１４（ｂ）に、一端面５２ａに対向して他端面５２ｂが設けられ該他端面５２ｂにＶ字状の切り込みを形成した導光板５２を示している。また、図１４（ｃ）に、一端面５３ａから他端面５３ｂにかけて湾曲され該他端面５３ｂに傾斜面を形成した導光板５３を示している。また、図１４（ｄ）に、一端面５４ａから他端面５４ｂにかけて湾曲され該他端面５４ｂにＶ字状の切り込みを形成した導光板５４を示している。上記構成によれば、表示装置１を側方から眺めた場合でも、各傾斜面で反射した光によってチャンネル文字の輪郭を確認することができる。さらに、同時に、表示装置１を正面から眺めた場合であっても、他端面からも光が出射されるので、もちろんチャンネル文字の輪郭を確認することができる。
【００２０】
また、発光部２０は、図１５及び図１６に示すように、発光部２０の導光板の他端面は、文字、図形、記号、又はこれらの組み合わせから成る情報を表している。具体的には、図１５には、導光板２６において、アルファベットの大文字で「Ａ」から成る文字の情報を表す形状から成る他端面２６ｂを示している。同様に、図１６には、導光板２７において、円形及び多角形を組み合わせた模様の情報を表す形状から成る他端面２７ｂを示している。ここで、図１６に示す模様は、所定の商標を表す情報としても良い。
【００２１】
表示装置１を構成する筐体部３０は、光源部１０及び発光部２０を保持する筐体を設けている。この様な筐体部３０は、図２及び図７に示すように、表示装置１の背面に設けられる底板３１、表示装置１の内側に設けられる内側板３２、及び表示装置１の外側に設けられる外側板３３を組み合わせて構成され、光源部１０及び発光部２０を保持している。以下、筐体部３０を構成する各部材について説明する。筐体部３０の底板３１、内側板３２、及び外側板３３は、例えばアルミニウム合金を発光部２０の形状に合わせて切断及び曲げ加工した板金から成る。また、筐体部３０の底板３１は、表示装置１の裏面側に設けられ、導光板２１の一端面２１ａの輪郭に沿った形状に形成されている。また、筐体部３０の内側板３２は、環状に形成された導光板２１の内側に当接した状態で設けられ、導光板２１の一主面２１ｃに沿った形状に形成されている。また、内側板３２は、導光板２１の一端面２１ａ側の一部を覆うように配設され底板３１に接合されていることから、導光板２１の一主面２１ｃの大部分は視認可能である。また、筐体部３０の外側板３３は、環状に形成された導光板２１の外側に当接した状態で設けられ、導光板２１の他主面２１ｅに沿った形状に形成されている。また、外側板３３は、導光板２１の他主面２１ｅ側の一部を覆うように配設され底板３１に接合されていることから、導光板２１の他主面２１ｅの大部分は視認可能である。また、外側板３３の内面に設けられた係留部３３ａに、光源１１を複数実装した基板１２が、図示せぬネジによりネジ留めされている。
【００２２】
また、筐体部３０の応用例の一つの例に相当する筐体部７０について、図２２を参照しながら説明する。なお、図２２は、筐体部７０を設けた表示装置を断面図で示している。具体的には、図２２は水平方向に切断した状態の部分拡大図を示している。この様な筐体部７０は、筐体の隙間にシリコンを充填し、かつ、筐体の下部に水抜き用の孔を設けることにより、防水性及び防汚性を向上させている。以下、筐体部７０の構成について説明する。導光板２１の一端面２１ａから離間して設けられた光源１１は基板１２に実装され、該基板１２はＬ字状に屈折された係留部７１に接合されている。また、係留部７１には、Ｌ字状に屈折された保護板７２が、光源１１から離間した状態で接合されている。ここで、係留部７１は、平板状に形成された側板７３に接合されている。さらに、導光板２１の固定用のボルト７５を保持するコの字状から成る保持板７４が、導光板２１の両側に位置するように、保護板７２又は側板７３に積層されたスペーサ７６にそれぞれ接合されている。また、導光板２１と保持板７４にはそれぞれ孔が設けられ、該孔に固定用のボルト７５が挿通されている。さらに、導光板２１と保持板７４との隙間には、コの字状に形成された蓋板７７の一端が挿入されており、蓋板７７と保持板７４が固定用のボルト７８で固定されている。なお、蓋板７７にも孔が設けられ、該孔に固定用のボルト７５が挿通されている。また、図示せぬ水抜き用の孔が筐体部７０の下部に設けられている。ここで、係留部７１と蓋板７７との隙間、保護板７２と蓋板７７との隙間及び側板７３と保護板７４との隙間に、目留め用の白色のシリコン樹脂７９が充填されている。さらに、基板１２に実装された光源１１と保護板７２との隙間に、透明なシリコン樹脂８０が充填されている。
【００２３】
また、表示装置１の設置例について、図２３を参照しながら説明する。なお、図２３は、屋外固定設備８０に取り付けられた表示装置１を側面から示している。図２３に示すように、表示装置１の裏面側には、装置取付板８１が装着されている。該装置取付板８１は、上下方向に複数並列して設置されたルーバ８２を挟み込んだ状態で、左右方向に複数並列して縦に設置されたルーバ背面補強棒８３に対して、ネジ８７により固定されている。また、ルーバ８２は、左右方向に複数並列して縦に設置された支柱８４に対して、ネジ８８により固定されている。また、支柱８４は、該支柱８４の上部と中央部及び下部の３箇所に装着された連結棒８５を介して固定台８６に接続されている。ここで、固定台８６は、例えばビルの屋上に設置されている。すなわち、表示装置１は、ビルの屋上に配設され例えば会社名等を表示するために用いられる。
【００２４】
以上、本発明の第１の実施形態に係る表示装置１によれば、光源の光を有効に用いて高輝度で均等に所定の情報を報知することができる。
【００２５】
また、本発明の第１の実施形態に係る表示装置１によれば、発光部２０の例えば導光板２１は透明であり、且つ導光板２１の他端面２１ｂは情報を表していることから、昼間は消灯又は光量を下げて点灯させ、且つ夜間は一定の光量で点灯させることで、所定の情報を光源の光を有効に用いて高輝度で均等に報知することができる。
【００２６】
また、本発明の第１の実施形態に係る表示装置１によれば、発光部２０の導光板２１の他端面２１ｂが、鏡面状に形成されている場合には、光源部１０の光源１１の光を直接出射させて、該光を高輝度で壁面等に照射することができる。一方、発光部２０の導光板２２の他端面２２ｂが、粗面状に形成されている場合には、光源部１０の光源１１の光を直接視認することがないので、目に眩しく認識されることがない。さらに、発光部２０の導光板２２の他端面２２ｂが、粗面状に形成されている場合には、筐体部３０に設けられたビス等を用いて発光部２０の導光板の一主面から他主面にかけて貫通し固定した状態であっても、ビス等に起因した光の陰影を粗面状に形成された導光板２２の他端面２２ｂで拡散させることにより、視認され難くすることができる。
【００２７】
また、本発明の第１の実施形態に係る表示装置１によれば、発光部２０の導光板２３の一端面２３ａと隣接した一主面２３ｃ、該一主面２３ｃに対向した他主面２３ｅ、又は一主面２３ｃ及び他主面２３ｅに、光源部１０の光源から照射された光を拡散光として導出させる凹部又は凸部が形成されていることから、発光部２０の導光板２３の一端面２３ａから入射された光源部１０の光源１１の光を、一端面２３ａに対向して形成された他端面２３ｂに加えて、一端面２３ａと隣接した一主面２３ｃ、該一主面２３ｃ対向した他主面２３ｅ、又は一主面２３ｃ及び他主面２３ｅにおいて、様々な光強度分布を有する拡散光に変換して出射することができる。
【００２８】
また、本発明の第１の実施形態に係る表示装置１によれば、発光部２０の例えば導光板２１の一主面２１ｃ、他主面２１ｅ、又は一主面２１ｃ及び他主面２１ｅに形成された凹部又は凸部は、点状、線状、又はそれらを組み合わせた形状から成ることから、発光部２０の導光板２１の一端面２１ａから入射された光源部１０の光源１１の光を、一端面２１ａに対向して形成された他端面２１ｂに加えて、一端面２１ａと隣接した一主面２１ｃ、該一主面２１ｃに対向した他主面２１ｅ、又は一主面２１ｃ及び他主面２１ｅにおいて、様々な光強度分布を有する拡散光に変換して出射することができる。
【００２９】
また、本発明の第１の実施形態に係る表示装置１によれば、発光部２０の導光板２４の他端面２４ｂが、一端面２４ａに対して平行又は傾斜して形成されていることから、発光部２０の導光板２４の一端面２４ａから入射された光源部１０の光源１１の光を、一端面２４ａに対向して形成された他端面２４ｂにおいて、所定の角度で反射させて導光板２４の内部で多重反射させることができる。さらに、本発明の第１の実施形態に係る表示装置１によれば、発光部２０の導光板２４の一端面２４ａから入射された光源部１０の光源１１の光を、一端面２４ａに対向して形成された他端面２４ｂにおいて、所定の配光角度で出射させることができる。
【００３０】
また、本発明の第１の実施形態に係る表示装置１によれば、発光部２０の導光板２５の他端面２５ｂに、凹状部又は凸状部を形成させることにより、発光部２０の導光板２５の一端面２５ａから入射された光源部１０の光源１１の光を、一端面２５ａに対向して形成された他端面２５ｂにおいて、様々な光強度分布を有する拡散光に変換して出射することができる。
【００３１】
また、本発明の第１の実施形態に係る表示装置１によれば、図１４（ａ）に示す導光板５１のように一端面５１ａに対向して他端面５１ｂが設けられ該他端面５１ｂに傾斜面を形成しても良い。また、図１４（ｂ）  に示す導光板５２のように一端面５２ａに対向して他端面５２ｂが設けられ該他端面５２ｂにＶ字状の切り込みを形成しても良い。さらに、図１４（ｃ）及び図１４（ｄ）に示すように、導光板を一端面から他端面にかけて湾曲して形成しても良い。この様に導光板５１を形成することにより、光の指向性、配光角、及び光強度分布を、任意に設定することができる。
【００３２】
また、本発明の第１の実施形態に係る表示装置１によれば、発光部２０の例えば導光板２１の他端面２１ｂが、文字、図形、記号、又はこれらの組み合わせから成る情報を表していることから、発光部２０の導光板２１の一端面２１ａから入射された光源部１０の光源１１の光を導出する他端面２１ｂにおいて、文字又は模様の情報を光源の光を有効に用いて高輝度で均等に報知することができる。
【００３３】
また、本発明の第１の実施形態に係る表示装置１によれば、発光部２０の導光板の他端面が、情報の輪郭を表していることから、発光部２０の導光板の一端面から入射された光源部１０の光源１１の光を、一端面に対向して形成された他端面において、文字又は模様の情報を、文字又は模様の輪郭を用いて強調し、光源１１の光を有効に用いて高輝度で均等に報知することができる。
【００３４】
また、本発明の第１の実施形態に係る表示装置１によれば、発光部２０の導光板の一対の他端面が、情報の輪郭の外側と内側を表していることから、発光部２０の導光板の一端面から入射された光源部１０の光源１１の光を、一端面に対向して形成された他端面において、文字、図形、記号、又はこれらの組み合わせから成る情報を、その情報の外側と内側の輪郭を用いて更に強調し、光源の光を有効に用いて高輝度で均等に報知することができる。
【００３５】
また、本発明の第１の実施形態に係る表示装置１によれば、該表示装置１を壁面等に取り付けた場合には、発光部２０の例えば導光板２１の一主面２１ｃ及び他主面２１ｅから出射される光により、壁面等を仄かに照らすことができる。
【００３６】
また、本発明のチャンネル文字装置は、文字、図形、記号、又はこれらの組み合わせた所定の情報の中でも、特に会社や製品の名称等を表す文字を発光させて表示するものであり、通常はビル等の屋上や壁面に設置されて用いられる。この様なチャンネル文字装置によれば、従来のチャンネル文字装置の構成と比較して、光源から前面の中抜き文字までの距離を任意に設計することができる。また、本発明のチャンネル文字装置の発光部において、導光板の一主面及び他主面が透過性を有するため、他端面が立体的に浮いた状態で視認される。さらに、本発明のチャンネル文字装置によれば、薄い筐体部から突出した透過性を有する発光部によりチャンネル文字が形成されるため、太陽の日差しを遮ることはなく、周囲に陰が投影され難くすることができる。一方、従来のチャンネル文字装置の構成では、該チャンネル文字装置の筐体が、太陽の日差しを遮るような立体形状で形成されていることから、周囲に陰が投影されてしまう。また、本発明のチャンネル文字装置によれば、点灯時だけでなく消灯時においても、文字、図形、記号又はこれらの組み合わせからなる発光部又は筐体部により、情報を表示することができる。
【００３７】
［第２の実施形態］
以下、本発明の第２の実施形態に係る表示装置２について、図１８乃至図２０を参照しながら、具体的に説明する。
【００３８】
なお、本発明の第２の実施形態に係る表示装置２は、図９に示すように、発光部２０の導光板２１の他端面に積層され、他端面から出射された光を拡散させる拡散部材４１を設けた拡散部４０を有していることに特徴を有している。また、それ以外の第２の実施形態に係る構成は、第１の実施形態で述べた構成と同様である。そこで、第２の実施形態においては第１の実施形態と異なる構成について中心に説明する。
【００３９】
第２の実施形態の表示装置２を構成する拡散部４０は、発光部２０の導光板の他端面に積層され、他端面から出射された光を拡散させる拡散部材４１を設けている。この様な拡散部４０は、図１８乃至図２０に示すように、拡散部材４１から構成されている。拡散部材４１は、発光部２０の導光板の他端面から出射された光を拡散させて、該拡散光を均一な面光源として出射させるものであり、所定の厚みを有する乳白板から成る。ここで、図２０は導光板２３をカメラで撮影して得られた写真であり、図１８に示す斜視図と異なり、導光板２３の一端面２３ａに対向した他端面２３ｂから光を入射させている。
【００４０】
以上、本発明の第２の実施形態に係る表示装置２によれば、第１の実施形態に係る表示装置１と同様に、光源の光を有効に用いて高輝度で均等に所定の情報を報知することができる。
【００４１】
さらに、本発明の第２の実施形態に係る表示装置２によれば、発光部２０の導光板の他端面に積層され、他端面から出射された光を拡散させる拡散部材４１を設けた拡散部４０を更に有していることから、発光部２０の導光板の他端面から出射された光が、拡散部４０に設けられた拡散部材４１で拡散し、所定の情報を光源の光を有効に用いて高輝度で非常に均等に報知することができる。
【００４２】
また、本発明の第２の実施形態に係る表示装置２によれば、拡散部４０の拡散部材は、発光部２０の導光板の他端面の輪郭に沿って積層されていることから、発光部２０の導光板の他端面から出射され、拡散部４０に設けられた拡散部材で拡散した光が、所定の情報の輪郭に沿って、高輝度で均等に該情報を強調した状態で報知することができる。
【００４３】
［第３の実施形態］
以下、本発明の第３の実施形態に係る表示装置について、具体的に説明する。
【００４４】
なお、本発明の第３の実施形態に係る表示装置は、光源部１０に電気的に接続され、外部から供給された電力を所定の駆動電力に変換して光源部１０に介する電源基板を設けた電源部を設けたことに特徴を有している。また、それ以外の第３の実施形態に係る構成は、第１及び第２の実施形態で述べた構成と同様である。そこで、第３の実施形態においては第１及び第２の実施形態と異なる構成について中心に説明する。
【００４５】
第３の実施形態の表示装置を構成する電源部は、光源部１０に電気的に接続され、外部から供給された電力を所定の駆動電力に変換して光源部１０に介する電源基板を設けている。この様な電源部は、電源基板及び部品から構成されている。以下、電源部の構成について説明する。電源部の電源基板は、外部から入力された電力を、光源部１０の光源１１の定格に合わせて、１００Ｖから２４Ｖに降圧、直流の定電流への整流、整流後のパルス変調、及びノイズの除去等を行い、光源部１０の光源１１に駆動電力を供給する。この様な電源基板は、変圧器、整流器、及びコンデンサ等の部品から構成される。なお、電源基板の構成に関し、光源部１０の光源１１に蛍光管、冷陰極管、又はネオン管を用いる場合には、外部から供給される交流の電力を直流に変換せずに用いる。
【００４６】
以上、本発明の第３の実施形態に係る表示装置によれば、第１及び第２の実施形態に係る表示装置１及び表示装置２と同様に、光源の光を有効に用いて高輝度で均等に所定の情報を報知することができる。
【００４７】
さらに、本発明の第３の実施形態に係る表示装置によれば、屋外又は屋内の施設に搬送して表示装置を用いる場合に、該施設に送電されている交流１００Ｖの電力を用いて、該表示装置を簡便に発光させることができる。
【００４８】
［第４の実施形態］
次に、本発明の第４の実施形態に係る表示装置について、図２１を参照しながら具体的に説明する。
【００４９】
なお、本発明の第４の実施形態に係る表示装置は、導光板６１乃至６４が環状に設けられ、更に、導光板６１乃至６４で囲われた領域の内側に光源１１からの光が各一端面から入射され各一端面に対向する各他端面から出射される板状の補助導光板６５乃至６７を光源部２０の所定の面内から起立させて設けていることに特徴を有している。また、それ以外の第４の実施形態に係る構成は、第１乃至第３の実施形態で述べた構成と同様である。そこで、第４の実施形態においては第１乃至第３の実施形態と異なる発光部６０の構成について中心に説明する。
【００５０】
発光部６０は、図２１に示すように、導光板６１乃至６４と補助導光板６５乃至６７を用いて、アルファベットの大文字の「Ｊ」から成る情報を表している。なお、導光板６１乃至６４と補助導光板６５乃至６７の基本的な仕様は、前述した発光部２０の各導光板の基本的な仕様と同様であり、板状で厚みが４ｍｍ乃至８ｍｍの透明なアクリル樹脂板から成る。ここで、導光板６１乃至６４から成る４つの導光板を組み合わせて、アルファベットの大文字の「Ｊ」の輪郭を縁取りして表している。
【００５１】
具体的には、平板状に形成された導光板６１の一端に設けられた縁部６１ｖが湾曲部６３ｚで湾曲され略Ｕ字状に形成された導光板６３の他端に設けられた縁部６３ｗに接着され、導光板６１の他端に設けられた縁部６１ｗが湾曲部６４ｘ及び６４ｙで湾曲され略Ｕ字状に形成された導光板６４の他端に設けられた縁部６４ｗに接着されている。同様に、平板状に形成された導光板６２の一端に設けられた縁部６２ｖが、導光板６４の一端に設けられた縁部６４ｖに接着され、導光板６２の他端に設けられた縁部６２ｗが、導光板６３の一端に設けられた縁部６３ｖに接着されている。なお、導光板６１乃至６４から成る４つの導光板を組み合わせる構成に替えて、１つの導光板を熱加工により屈折等させることによりアルファベットの大文字の「Ｊ」の輪郭を表しても良い。
【００５２】
さらに、補助導光板６５乃至６７が、導光板６１乃至６４で囲われた領域の内側に所定の間隔で並列して複数設けられ、アルファベットの大文字の「Ｊ」の内部を縞模様状に表している。ここで、それぞれ平板状に形成された補助導光板６５乃至６７は導光板６１乃至６４に囲まれ、かつ、補助導光板６５乃至６７の両端が導光板６３の一主面６３ｃ又は導光板６４の一主面６４ｃに当接した状態で接着されている。
【００５３】
具体的には、補助導光板６５は長方形状の板状に形成され、８個の該補助導光板６５が、アルファベットの大文字の「Ｊ」の右半分の領域に対して上下方向に並列して設けられている。すなわち、８個の該補助導光板６５は、「Ｊ」の内部の一部の領域において、水平方向に縞模様を表している。また、補助導光板６６は補助導光板６５よりも長手方向の全長が短く形成され、２個の該補助導光板６６が、アルファベットの大文字の「Ｊ」の左半分の領域に対して上下方向に並列して設けられている。さらに、補助導光板６７は補助導光板６５よりも長手方向の全長が長く形成され、１個の該補助導光板６７が、アルファベットの大文字の「Ｊ」の下部の領域に対して水平方向に設けられている。なお、補助導光板６５乃至６７は、導光板６１乃至６４と比較して一端面と他端面との間の距離が短い。なお、複数の補助導光板を上下方向に並列して水平に設ける構成に限定されることはなく、例えば複数の補助導光板を左右方向に並列して垂直に設ける構成としても良いし、さらに複数の補助導光板を所定の角度に傾斜させた状態で並列して設ける構成としても良い。
【００５４】
また、図２０に示す導光板６１乃至６４と補助導光板６５乃至６７の主面には、それぞれ拡散光を発生させる凹部を設けている。具体的には、例えば導光板６１の他主面６１ｅには凹部６１ｆが形成され、補助導光板６５の他主面６５ｅには凹部６５ｆが形成されている。なお、この様な構成に限定されることはなく、導光板６１乃至６４と補助導光板６５乃至６７の一部の導光板のみに凹部を形成しても良いし、全ての導光板に凹部を形成しなくても良い。また、補助導光板６５乃至６７は、導光板６１乃至６４で囲われた領域の内側において、上下方向に並列して配設する構成に限定されることはなく、例えば左右方向に並列して配設したり、所定の角度で傾斜させた状態で並列して配設する構成としても良い。さらに、導光板６１乃至６４で囲われた領域の内側を全て埋めるように、補助導光板６５乃至６７を密集して配設しても良い。また、補助導光板６５乃至６７は、板状に限定されることは無く、例えば円柱状に形成し、導光板６１乃至６４で囲われた領域の内側において、所定の配列で配設する構成としても良い。なお、導光板６１乃至６４と補助導光板６５乃至６７の各他端面は、平面に限定されることはなく、例えば流線形状や凹凸形状としても良い。
【００５５】
上述した発光部６０によれば、アルファベットの大文字の「Ｊ」の輪郭の一部を表す例えば導光板６４の一端面６４ａから入射された光源１１の光は一端面６４ａに対向して設けられた他端面６４ｂから出射される。また、アルファベットの大文字の「Ｊ」を縞模様状に表す例えば補助導光板６５の一端面６５ａから入射された光源１１の光は一端面６５ａに対向して設けられた他端面６５ｂから出射される。さらに、補助導光板６５の一端面６５ａから入射された光源１１の光は、該補助導光板６５の内部を伝播した後に、導光板６４の一主面６４ｃに当接した当接面６５ｓから出射され、該導光板６４の一主面６４ｃに対向した他主面６５ｅを介して外部に出射される。同様に、補助導光板６５の一端面６５ａから入射された光源１１の光は、該補助導光板６５の内部を伝播した後に、導光板６３の一主面６３ｃに当接した面から出射し、該導光板６３の一主面６３ｃに対向した他主面６３ｅを介して外部に出射される。
【００５６】
さらに、例えば導光板６４の一端面６４ａから入射された光源１１の光は、該導光板６４の他主面６４ｅの全面から出射される。また、例えば補助導光板６５の一端面６５ａから入射された光源１１の光は、該補助導光板６５の当接面６５ｓに対向した他主面６５ｅを介して、導光板６４の他主面６４ｅから出射される。したがって、導光板６４の一端面６４ａから入射される光源１１の発光波長と、補助導光板６５の一端面６５ａから入射される光源１１の発光波長とが同一の場合には、導光板６４の他主面６４ｅから縞模様状に光の強弱を有する単色光が導出される。さらに、導光板６４の一端面６４ａから入射される光源１１の発光波長と、補助導光板６５の一端面６５ａから入射される光源１１の発光波長とが異なる場合には次の様になる。すなわち、導光板６４の他主面６４ｅ全体が所定の波長の光で略均等に発光した上で、補助導光板６５の当接面６５ｓに対向した導光板６４の他主面６４ｅの部分では局所的に異なる波長の光で発光する。より具体的には、補助導光板６５の当接面６５ｓに対向した導光板６４の他主面６４ｅでは、導光板６４の一端面６４ａから入射された光源１１の光と補助導光板６５の一端面６５ａから入射された光源１１の光が混色した状態で出射される。したがって、導光板６４の他主面６４ｅから縞模様状に異なる波長の光が導出される。
【００５７】
以上、本発明の第４の実施形態に係る表示装置によれば、第１乃至第３の実施形態に係る表示装置と同様に、光源の光を有効に用いて高輝度で均等に所定の情報を報知することができる。
【００５８】
さらに、本発明の第４の実施形態に係る表示装置によれば、アルファベットの大文字の「Ｊ」の輪郭を縁取りして表す導光板６１乃至６４の一端面に加えて、アルファベットの大文字の「Ｊ」の内部を縞模様状に表す補助導光板６５乃至６７の一端面からも、光を導出させることができることから、該「Ｊ」全体を発光させることができる。したがって、「Ｊ」の輪郭を縁取りして表す導光板６１乃至６４の一端面のみから光を導出させる場合と比較して、該「Ｊ」を視認し易くなる。
【００５９】
また、本発明の第４の実施形態に係る表示装置によれば、アルファベットの大文字の「Ｊ」の輪郭の一部を表す例えば導光板６４の一端面６４ａから入射される光源１１の発光波長と、アルファベットの大文字の「Ｊ」の内部を縞模様状に表す例えば補助導光板６５の一端面６５ａから入射される光源１１の発光波長とが同一の場合には、導光板６４の他主面６４ｅ全体が所定の波長の光で略均等に発光した上で、補助導光板６５の当接面６５ｓに対向した導光板６４の他主面６４ｅでも発光することから、導光板６４の他主面６４ｅから縞模様状に光の強弱を有する単色光が導出される。
【００６０】
さらに、本発明の第４の実施形態に係る表示装置によれば、アルファベットの大文字の「Ｊ」の輪郭の一部を表す例えば導光板６４の一端面６４ａから入射される光源１１の発光波長と、アルファベットの大文字の「Ｊ」の内部を縞模様状に表す例えば補助導光板６５の一端面６５ａから入射される光源１１の発光波長とが異なる場合には、導光板６４の他主面６４ｅ全体が所定の波長の光で略均等に発光した上で、補助導光板６５の当接面６５ｓに対向した導光板６４の他主面６４ｅでは異なる波長の光で発光する。したがって、この様な場合には、導光板６４の他主面６４ｅから縞模様状に異なる波長の光が出射される。
【００６１】
また、本発明の第４の実施形態に係る表示装置によれば、補助導光板６５乃至６７が導光板６１乃至６４で囲われた領域の内側に所定の間隔で並列した状態で接合されていることから、該表示装置を屋外等の風を受ける場所に設置した場合にも、十分な強度を保つことができる。
【００６２】
また、本発明の第１乃至第４の実施形態に係る各表示装置に設けられた各発光部の導光板の製造方法について、具体的に説明する。
【００６３】
導光板の製造方法には、超音波加工、加熱加工、切削加工、レーザ加工、成型加工、及びシルク印刷加工を用いることができる。したがって、導光板の仕様やコスト及び必要数量等に応じて、各加工方法を選択することにより、凹部又は凸部等を導光板の各面に精度良く安定的に形成することができる。以下、導光板の製造方法について詳細に説明する。超音波加工では、導光板の各面に当接させた超音波加工用ホーンの超音波の振動を用いて、導光板の各面を部分的に溶融させることにより、該各面に凹部等を形成する。また、加熱加工では、導光板の各面に当接させた加工具の熱を用いて、導光板の各面を部分的に溶融させることにより、該各面に凹部等を形成する。同様に、切削加工では、導光板の各面に当接しながら回転又は付勢させた切削工具を用いて、導光板の各面を部分的に削り取ることにより、該各面に凹部等を形成する。同様に、レーザ加工では、導光板の各面に集光させたレーザ光の熱を用いて、導光板の各面を部分的に溶融させることにより、該各面に凹部等を形成する。同様に、成型加工では、成型する導光板の外形形状を反映させた形状を金型の内部に形成し、射出成型機に装着した金型に対して加熱して軟化させた樹脂を注入してから、該樹脂を冷却させることにより、導光板の各面に凹部、凸部、又は凹状及び凸部等を形成する。
【００６４】
また、導光板の製造方法に関し、シルク印刷加工では、導光板の各面に対して所定の孔が開口した版を当接させ、孔を介して硬化性の樹脂を各面に付着させて、該各面を部分的に樹脂で被覆させることにより、該各面に凸部等を形成する。また、成型加工又はシルク印刷加工に用いる導光板の基材である樹脂に、拡散光を発する微粒子状の拡散部材を添加しても良い。同様に、上述した超音波加工、加熱加工、切削加工、又はレーザ加工を行う導光板の基材である樹脂に、拡散光を発する微粒子状の拡散部材を添加したものを用いても良い。なお、上述した超音波加工、加熱加工、切削加工、レーザ加工、成型加工、及びシルク印刷加工を組み合わせて導光板を形成しても良い。具体的には、成型加工により導光板の外形形状のみを形成した上で、超音波加工により導光板の各面に凹部等を形成しても良い。同様に、成型加工により導光板の外形形状のみを形成した上で、シルク印刷加工により導光板の各面に凸部等を形成しても良い。
【００６５】
最後に、本発明の第１乃至第４の実施形態に係る各表示装置の構成と主な作用効果について、請求項毎に具体的に説明する。
【００６６】
請求項１に記載のチャンネル文字装置１及び２等は、所定の面内に配設される光源を設けた光源部１０と、光源からの光が一端面から入射され、該一端面から入射された前記光を前記一端面に対向する他端面、一主面及び他主面から出射する板状の導光板を前記光源部の前記所定の面内から起立させて設けた発光部２０と、前記光源部及び前記発光部を保持する筐体を設けた筐体部３０とを有し、前記発光部は、所定の情報の外郭を縁取りした形状に複数の前記導光板を接合して形成され、前記筺体部は、前記筺体の隙間にシリコンを充填した防水構造を有していることを特徴としている。
【００６７】
この様な請求項１に記載のチャンネル文字装置１及び２等によれば、所定の情報を光源の光を有効に用いて高輝度で均等に報知することができる。また、筺体の隙間にシリコンを充填することで防水機能を向上させている。具体的には、請求項１に記載のチャンネル文字装置１及び２等によれば、発光部２０の導光板の一端面から入射された光源部１０の光源の光を、所定の情報が縁取りされ輪郭を表す形状から成る他端面から導出させることにより、該情報を強調した状態で高輝度且つ均等に報知することができる。
【００６８】
請求項２に記載のチャンネル文字装置１及び２等は、請求項１に従属し、前記導光板の前記一主面及び前記他主面のいずれかの面には、前記光源部１０の前記光源から照射された光を拡散光として導出させる凹部又は凸部が形成されていることを特徴としている。
【００６９】
この様な請求項２に記載のチャンネル文字装置１及び２等によれば、発光部２０の導光板の一端面から入射された光源部１０の光源の光を、一端面に対向して形成された他端面に加えて、一端面と隣接した一主面、該一主面に対向した他主面、又は一主面及び他主面において、様々な光強度分布を有する拡散光に変換に変換して出射することができる。また、チャンネル文字装置１及び２等の端面となる一主面及び他主面においても、一主面及び他主面に形成された凹部又は凸部により光が反射されることから、チャンネル文字装置１及び２等の端面や正面を含め全体が立体的に発光している状態で視認される。
【００７０】
請求項３に記載のチャンネル文字装置１及び２等は、請求項２に従属し、前記凹部又は前記凸部は、点状、線状、又はそれらを組み合わせた形状から成ることを特徴とする。
【００７１】
この様な請求項３に記載のチャンネル文字装置１及び２等によれば、発光部２０の導光板の一端面から入射された光源部１０の光源の光を、一端面に対向して形成された他端面に加えて、一端面と隣接した一主面、該一主面に対向した他主面、又は一主面及び他主面において、様々な光強度分布を有する拡散光に変換して出射することができる。
【００７２】
請求項４に記載のチャンネル文字装置１及び２等は、請求項１に従属し、発光部２０の導光板の他端面が、鏡面状又は粗面状に形成されていることを特徴としている。
【００７３】
この様な請求項４に記載のチャンネル文字装置１及び２等によれば、発光部２０の導光板の一端面から入射された光源部１０の光源の光を、一端面に対向して形成された他端面において、該他主面の面粗さに応じた所定の強度で拡散させることができる。ここで、発光部２０の導光板の他端面が、粗面状に形成されている場合には、光源部１０の光源１１の光を直接視認することがないので、目に眩しく認識されることがない。さらに、発光部２０の導光板の他端面が、粗面状に形成されている場合には、筐体部３０に設けられたビス等を用いて発光部２０の導光板の一主面から他主面にかけて貫通し固定した状態であっても、ビス等に起因した光の陰影を粗面状に形成された導光板の他端面で拡散させることにより、視認され難くすることができる。なお、発光部２０の導光板の他端面を、切削工具で削る方法、荒いヤスリ等で研磨する方法、又はサンドブラストによる方法等により、粗面状に形成する。また、発光部２０の導光板の鏡面状に仕上げられた他端面に、拡散機能を有し透過性のあるテープやシールを貼り付けることにより、粗面状に形成しても良い。
【００７４】
請求項５に記載のチャンネル文字装置１及び２等は、請求項１に従属し、発光部２０の導光板の他端面が、一端面に対し傾斜して形成されていることを特徴としている。
【００７５】
この様な請求項５に記載のチャンネル文字表示装置１及び２等によれば、発光部２０の導光板の一端面から入射された光源部１０の光源の光を、一端面に対向して形成された他端面において、所定の角度で反射させて導光板の内部で多重反射させることができる。さらに、発光部２０の導光板の一端面から入射された光源部１０の光源の光を、一端面に対向して形成された他端面において、所定の配光角度で出射させることができる。
【００７６】
請求項６に記載のチャンネル文字装置２は、請求項１に従属し、発光部の導光板の他端面に積層され、他端面から出射された光を拡散させる拡散部材を設けた拡散部４０を更に有していることを特徴としている。
【００７７】
この様な請求項６に記載のチャンネル文字装置２によれば、発光部２０の導光板の他端面から出射された光が、拡散部４０に設けられた拡散部材で拡散することから、所定の情報を光源の光を有効に用いて高輝度で非常に均等に報知することができる。
【００７８】
請求項７に記載のチャンネル文字装置２は、請求項６に従属し、拡散部４０の拡散部材は、発光部２０の導光板の他端面の輪郭に沿って積層されていることを特徴としている。
【００７９】
この様な請求項７に記載のチャンネル文字装置２によれば、発光部２０の導光板の他端面から出射され、拡散部４０に設けられた拡散部材で拡散した光が、所定の情報の輪郭に沿って、高輝度で均等に該情報を強調した状態で報知することができる。
【００８０】
請求項８に記載のチャンネル文字装置１又は２は、請求項１に従属し、前記所定の情報は、文字、図形、記号、又はこれらの組み合わせから成ることを特徴とする。
【符号の説明】
【００８１】
１，２  表示装置、１０  光源部、１１  光源、１２  基板、２０，６０  発光部、２１，２２，２３，２４，２５，２６，２７，５１，５２，５３，５４，６１，６２，６３，６４  導光板、６５，６６，６７  補助導光板、２１ａ，２３ａ，２６ａ，２７ａ，５１ａ，５２ａ，５３ａ，５４ａ，６４ａ，６５ａ  一端面、２１ｂ，２２ｂ，２３ｂ，２５ｂ，２６ｂ，２７ｂ，５１ｂ，５２ｂ，５３ｂ，５４ｂ，６４ｂ，６５  他端面、２１ｃ，２３ｃ，２５ｃ，６３ｃ，６４ｃ  一主面、２１ｅ，２３ｅ，２５ｅ，６１ｅ，６４ｅ，６５ｅ  他主面、２３ｄ，２３ｆ，６１ｆ，６５ｆ  凹部、２５ｇ，２５ｈ，２５ｉ，２５ｊ，２５ｋ  凹状部、２５ｍ，２５ｎ，２５ｐ，２５ｑ，２５ｒ  凸状部、６１ｖ，６１ｗ，６２ｖ，６２ｗ，６３ｖ，６３ｗ，６４ｖ，６４ｗ  縁部、６３ｚ，６４ｘ，６４ｙ  湾曲部、６５ｓ  当接面、３０，７０  筐体部、３１  底板、３２  内側板、３３  外側板、３３ａ  係留部、７１  基板、７２  保護板、７３  側板、７４  保持板、７５，７８  ボルト、７６  スペーサ、７７  蓋板、７９，８０  シリコン樹脂、４０  拡散部、４１  拡散部材、８０  屋外固定設備、８１  装置取付板、８２  ルーバ、８３  ルーバ背面補強棒、８４  支柱、８５  連結棒、８６  固定台、８７，８８  ネジ
【図１７】
0005508585.tif 000002
【図２０】
0005508585.tif 000003
【図１】
0005508585.tif 000004
【図２】
0005508585.tif 000005
【図３】
0005508585.tif 000006
【図４】
0005508585.tif 000007
【図５】
0005508585.tif 000008
【図６】
0005508585.tif 000009
【図７】
0005508585.tif 000010
【図８】
0005508585.tif 000011
【図９】
0005508585.tif 000012
【図１０】
0005508585.tif 000013
【図１１】
0005508585.tif 000014
【図１２】
0005508585.tif 000015
【図１３】
0005508585.tif 000016
【図１４】
0005508585.tif 000017
【図１５】
0005508585.tif 000018
【図１６】
0005508585.tif 000019
【図１８】
0005508585.tif 000020
【図１９】
0005508585.tif 000021
【図２１】
0005508585.tif 000022
【図２２】
0005508585.tif 000023
【図２３】
0005508585.tif 000024